(57)【要約】【課題】  一般的には、マルチモダリティの動作が可能なメージングシステムを提供する。より具体的にはマルチモダリティシステムのペンシルビーム・コンピュータ断層撮影（ＣＴ）スキャンを実行する方法及びシステムを提供する。【解決手段】  患者を検査する方法は、ペンシルビームＸ線源とＸ線検出器との間の患者をコンピュータ断層撮影イメージング・モダリティを使用してイメージングすることと、ペンシルビームＸ線源とＸ線検出器との間の患者を核医学イメージング・モダリティを用いてイメージングすることとを含む。【選択図】      図１
2005279273.tif 000002
【特許請求の範囲】
【請求項１】
ペンシルビームＸ線源とＸ線検出器との間にある領域をコンピュータ断層撮影イメージング・モダリティを用いてスキャンすることと、
前記領域を核医学イメージング・モダリティを用いてスキャンすることと、
を含むマルチモダリティ・イメージング方法。
【請求項２】
コンピュータ断層撮影イメージング・モダリティを用いて領域をスキャンすることが、ペンシルビームＸ線源及びＸ線検出器の少なくとも１つを第１のイメージング位置から第２のイメージング位置へ平行移動する間、前記ペンシルビームＸ線源及び前記Ｘ線検出器を支持するガントリを少なくとも１つの観察位置にほぼ固定して保持することを含む請求項１に記載のマルチモダリティ・イメージング方法。
【請求項３】
観察領域の周りを回転可能なガントリと、
Ｘ線のペンシルビームをもたらす、前記ガントリに結合されたＸ線源であって、該Ｘ線のペンシルビームの少なくとも一部を前記観察領域内へ配向するように構成されたＸ線源と、
前記Ｘ線のペンシルビームに応答し、スキャンのＸ線コンピュータ断層撮影部分の間に前記Ｘ線の少なくとも一部を受信するように構成された検出器と、
前記観察領域において放出されたガンマフォトンを受信するように構成された少なくとも１つのガンマ・カメラと、
を備えるマルチモダリティコンピュータ断層撮影システム。
【請求項４】
前記ペンシルビームＸ線源及び前記Ｘ線検出器の少なくとも１つが第１のイメージング位置から第２のイメージング位置に平行移動する間、前記ガントリが固定位置を保持するように構成されている請求項３に記載のマルチモダリティコンピュータ断層撮影システム。
【請求項５】
前記ガントリにほぼ平行に位置決めされ且つ該ガントリから軸方向に離間して配置され、少なくとも１つのガンマ・カメラを観察軸の周りで回転させるように構成された第２のガントリを更に備える請求項３に記載のマルチモダリティコンピュータ断層撮影システム。
【請求項６】
前記観察領域に放出される同時ガンマフォトンを受信するように位置決めされた第２のガンマ・カメラを更に備える請求項３に記載のマルチモダリティコンピュータ断層撮影システム。
【請求項７】
前記Ｘ線源が、前記ペンシルビーム検出器に対して複数の角度でＸ線のペンシルビームを出力する請求項３に記載のマルチモダリティコンピュータ断層撮影システム。
【請求項８】
前記Ｘ線源が、前記ペンシルビーム検出器に対してほぼ固定した角度でＸ線のペンシルビームを出力する請求項３に記載のマルチモダリティコンピュータ断層撮影システム。
【請求項９】
前記ガントリに結合され、前記Ｘ線源及び前記Ｘ線検出器の少なくとも１つが前記ガントリに対して第１の位置から第２の位置まで移動するように構成された前記並進機構を更に備える請求項３に記載のマルチモダリティコンピュータ断層撮影システム。
【請求項１０】
前記Ｘ線源及び前記Ｘ線検出器の各々に関連付けられ、各々が前記ガントリに結合され且つ前記Ｘ線源及び前記Ｘ線検出器の少なくとも１つを前記ガントリに対して第１の位置から第２の位置まで移動させるように構成された並進機構を更に備える請求項３に記載のマルチモダリティコンピュータ断層撮影システム。
【請求項１１】
前記Ｘ線源及び前記Ｘ線検出器の各々に関連付けられた並進機構であって、各々が前記ガントリに結合され、且つ前記Ｘ線源及び前記Ｘ線検出器を前記ガントリに対して第１の位置から第２の位置まで同軸的に移動させるように構成された並進機構を更に備える請求項３に記載のマルチモダリティコンピュータ断層撮影システム。
【請求項１２】
前記検出器が検出器素子の線形アレイを含み、前記Ｘ線源が、前記検出器に対してペンシルビームＸ線を掃引するように構成された請求項３に記載のマルチモダリティコンピュータ断層撮影システム。
【請求項１３】
ほぼ矩形の観察領域の周りを回転可能なガントリと、
Ｘ線のペンシルビームをもたらす、前記ガントリに結合されたＸ線源であって、該Ｘ線のペンシルビームの少なくとも一部を前記観察領域内へ配向するように構成され、該観察領域の第１の面に隣接して位置決めされるＸ線源と、
前記Ｘ線のペンシルビームに応答し、スキャンのＸ線コンピュータ断層撮影部分の間に前記Ｘ線の少なくとも一部を受信するように構成され、且つ前記観察領域の前記第１の面と対向する第２の面に位置決めされた検出器と、
前記観察領域において放出されたガンマフォトンを受信するように構成されたガンマ・カメラであって、前記観察領域の第３の面及び第４の面の少なくとも１つに位置決めされ、該第３の面及び第４の面がそれぞれ前記第１の面と前記第２の面との間に対向配列で位置決めされるガンマ・カメラと、
を備えるマルチモダリティコンピュータ断層撮影システム。
【請求項１４】
前記ペンシルビームＸ線源及び前記Ｘ線検出器の少なくとも１つが第１のイメージング位置から第２のイメージング位置に平行移動する間、前記ガントリが固定位置を保持するように構成されている請求項１３に記載のマルチモダリティコンピュータ断層撮影システム。
【請求項１５】
前記Ｘ線源が、前記検出器に対してほぼ固定した角度でＸ線のペンシルビームを送信するよう構成された請求項１３に記載のマルチモダリティコンピュータ断層撮影システム。
【請求項１６】
前記Ｘ線源が、前記検出器に対して複数の所定角度でＸ線のペンシルビームを掃引するように構成された請求項１３に記載のマルチモダリティコンピュータ断層撮影システム。
【請求項１７】
前記Ｘ線検出器が、前記Ｘ線源から減弱された放射線ビームを受信するように構成された検出器素子の線形アレイである請求項１３に記載のマルチモダリティコンピュータ断層撮影システム。
【請求項１８】
ペンシルビームＸ線コンピュータ断層撮影（ＣＴ）部分と、
核医学イメージング部分と、
を備えるマルチモダリティ・イメージングシステム。
【請求項１９】
ペンシルビームＸ線源及びＸ線検出器を支持するガントリを更に備え、前記ペンシルビームＸ線源及び前記Ｘ線検出器の少なくとも１つが第１のイメージング位置から第２のイメージング位置まで平行移動する間、前記ガントリが固定位置を保持するように構成されている請求項１８に記載のマルチモダリティ・イメージングシステム。
【請求項２０】
前記ペンシルビームＸ線ＣＴ部分を支持する第１のガントリと、
前記核医学イメージング部分を支持し、前記第１のガントリにほぼ平行に位置決めされ、該第１のガントリから軸方向に離間して配置された第２のガントリと、
を更に備える請求項１８に記載のマルチモダリティ・イメージングシステム。
【請求項２１】
前記ペンシルビームＸ線（ＣＴ）部分と前記核医学イメージング部分とが協働して回転可能なガントリを用いて観察領域のスキャンを実行する請求項１８に記載のマルチモダリティ・イメージングシステム。
【請求項２２】
前記ペンシルビームＸ線（ＣＴ）部分及び前記核医学イメージング部分が、ペンシルビームＸ線（ＣＴ）スキャン及び核医学イメージング・スキャンを連続して実行するように構成された請求項１８に記載のマルチモダリティ・イメージングシステム。
【請求項２３】
前記ペンシルビームＸ線（ＣＴ）部分及び前記核医学イメージング部分が、ペンシルビームＸ線（ＣＴ）スキャンと核医学イメージング・スキャンとを同時に実行するように構成された請求項１８に記載のマルチモダリティ・イメージングシステム。
【請求項２４】
前記ペンシルビームＸ線（ＣＴ）部分及び前記核医学イメージング部分が、ペンシルビームＸ線（ＣＴ）スキャンの少なくとも一部と核医学イメージング・スキャンの少なくとも一部との間を交互にするスキャンを実行するように構成された請求項１８に記載のマルチモダリティ・イメージングシステム。
【請求項２５】
前記核医学イメージング部分が、ガンマ・カメラ、ポジトロン放射形断層撮影（ＰＥＴ）イメージングシステム、及びシングルフォトンエミッションＣＴ（ＳＰＥＣＴ）システムの少なくとも１つを含む請求項１８に記載のマルチモダリティ・イメージングシステム。
【発明の詳細な説明】
【技術分野】
【０００１】
本発明は、一般的には、マルチモダリティの動作が可能なメージングシステムに関し、より具体的にはマルチモダリティシステムのペンシルビーム・コンピュータ断層撮影（ＣＴ）スキャンを実行する方法及びシステムに関する。
【背景技術】
【０００２】
マルチモダリティ・イメージングシステムは、例えばポジトロン放射形断層撮影（ＰＥＴ）、シングルフォトンエミッションＣＴ（ＳＰＥＣＴ）、コンピュータ断層撮影（ＣＴ）、静的Ｘ線イメージング、及び動的（フルオロスコピー）Ｘ線イメージングなどの様々なモダリティを用いてスキャンすることができる。マルチモーダルシステム（マルチモダリティシステムとも呼ばれる）において、同一のハードウェアの一部を使用して、異なるスキャンが実行される（例えば、ＳＰＥＣＴで生成された画像を、ＣＴによって生成された画像と同様の同じコンピュータ及びディスプレイにより各々処理されて表示される）。しかしながら、データ収集システム（「イメージングアセンブリ」とも呼ばれる）は異なる。例えば、ＣＴ／ＳＰＥＣＴシステムにおいて、放射線源及び放射線検出器を組み合わせて用いてＣＴデータを収集する一方、放射線医薬品は通常、ＳＰＥＣＴカメラと組み合わせてＳＰＥＣＴデータを収集する。
【０００３】
ＣＴイメージングは通常、比較的高価なＸ線源及びＸ線検出器を用いて実行される。比較的安価なＣＴイメージングシステムはペンシルビームＣＴシステムであり、これは比較的狭い円筒形のＸ線ビームが、比較的安価な検出器に向かって配向される。ペンシルビームＣＴシステムのアーキテクチャは、Ｘ線散乱を低減し、比較的高画質画像を生成することを促進する。しかしながら、ペンシルビームＣＴシステムを用いるスキャンは通常、一般的なＣＴシステムを用いるスキャンよりも長い時間を要する。具体的には、例えばＰＥＴ及びＳＰＥＣＴスキャンなどの放射スキャンが通常、約２０分などの数分を要するが、例えばＣＴスキャンなどの透過スキャンは通常、約１５秒といった数秒だけを要する。
【特許文献１】米国特許第６５５６６５３号
【発明の開示】
【課題を解決するための手段】
【０００４】
１つの実施形態において、患者を検査する方法が提供される。この方法は、ペンシルビームＸ線源とＸ線検出器の間の患者をコンピュータ断層撮影イメージング・モダリティを使用してイメージングすることと、ペンシルビームＸ線源とＸ線検出器の間の患者を核医学イメージング・モダリティを用いてイメージングすることとを含む。
【０００５】
別の実施形態において、マルチモダリティコンピュータ断層撮影システムが提供される。このシステムは、観察領域の周りを回転可能なガントリと、Ｘ線のペンシルビームをもたらす、ガントリに結合されたＸ線源であって、Ｘ線のペンシルビームの少なくとも一部を観察領域内に配向するように構成されたＸ線源と、Ｘ線のペンシルビームに応答し、スキャンのＸ線コンピュータ断層撮影部分の間にＸ線の少なくとも一部を受信するように構成された検出器と、観察領域において放出されるガンマフォトンを受信するように構成されたガンマ・カメラとを備える。
【発明を実施するための最良の形態】
【０００６】
図１は、本発明の例示的な実施形態によるイメージングシステム１０の概略図である。イメージングシステム１０はガントリ１４上に装着されたＸ線源１２を含む。例示的な実施形態において、ガントリ１４は、該ガントリを貫通するアパーチャ１８を有する本体１６を含む。別の実施形態において、ガントリ１４は、隣接するセグメントを空間により分離することができる複数のガントリ・セグメントから製造することができる。患者テーブル２０は、アパーチャ１８内の複数の観察位置に患者２２を支持し搬送するよう構成される。患者テーブル２０は支持機構（図示せず）を含み、該支持機構は、患者テーブル２０を支持し、例えば上下方向２４、左右方向２６、内外方向２８を含む、少なくとも３つのほぼ直交する方向のいずれかの方向で該患者テーブル２０を移動するように構成される。支持機構は、スキャン前に患者２２を調整し、スキャン中は撮像される患者２２のある部分を制御し、全体的にはスキャンの任意の部分の間に患者テーブル２０の動きを制御することができる。
【０００７】
動作中、Ｘ線源１２は、Ｘ線のペンシルビーム３０を発生して、ガントリ１４の第１の面からガントリ１４の対向する第２の面に検出器―線源軸３１に沿ってＸ線検出器３２まで送信するように構成される。Ｘ線源１２とＸ線検出器３２との間の領域が観察領域３４である。観察領域３４の長手方向軸３５は、Ｘ線源１２とＸ線検出器３２との間でほぼ等距離にある。このペンシルＸ線ビーム３０は患者テーブル２０上の患者２２によって減弱することができ、減弱されないＸ線がＸ線検出器３２に吸収される。例示的な実施形態において、Ｘ線検出器３２は単一の検出器を含み、Ｘ線源１２は、横並進方向３８でＸ線源１２の移動を制御する並進機構３６を介してガントリ１４に装着される単一のＸ線源である。並進機構３６は、アクチュエータ３９を用いて第１の位置４０から第２の位置４２へ選択可能な速度で連続して、又は選択可能な増分で漸次的にＸ線源を移動させるよう構成される。Ｘ線のペンシルビーム３０は、検出器並進機構４４を介してガントリ１４上に位置付けられるＸ線検出器３２に向けて配向することができ、該検出器並進機構は、アクチュエータ４６を用いて検出器３２をＸ線源３０と協働して移動するよう制御することができ、これにより検出器３２は、スキャン中にＸ線源３０に対して相対的な位置（例えば、観察領域３４のほぼ反対側）を維持するようになる。別の実施形態において、並進機構３６は、観察領域３４の長手方向軸３５からほぼ一定の半径を基準とする円周経路などの弓形経路に沿ってＸ線源１２を配向するように構成される。
【０００８】
ガントリ１４はまた、ガントリ本体１６に装着された少なくとも１つのガンマ・カメラ４８を含み、これにより患者２２内の放射線医薬品から放出されるガンマ線がガンマ・カメラ４８で吸収される。例示的な実施形態において、ガントリ１４は、ガンマ・カメラ４８と対向するガントリ１４上に装着された第２のガンマ・カメラ５０を含み、これによりガンマ・カメラ４８及び５０は協働して、例えばＰＥＴイメージングに用いられるガンマ線の同時放射を検出することができる。観察領域３４の長手方向軸３５は、ガンマ・カメラ４８及び５０間でほぼ等距離にある。別の実施形態において、特定のＳＰＥＣＴイメージング・スキャンを実行するときなどでは、ガンマ・カメラ５０の出力は使用されない。
【０００９】
別の実施形態において、ガンマ・カメラ４８及び５０は、ガントリ本体１６から軸方向に離間して配置された第２のガントリ（図示せず）上に装着され、これによりガンマ・カメラ４８及び５０は、ガントリ本体１６の回転面に平行且つ隣接する平面で長手方向軸３５の周りを回転することができる。従って、第２のガントリは、ガントリ本体１６を用いる患者２２のスキャンとは別個に且つ無関係に患者２２をスキャンするように制御することができる。例えば、ガントリ本体１６は、ペンシルビームＣＴスキャンの実行を促進する速度で回転することができ、第２のガントリは、ガンマ・カメラ、ＰＥＴ、及び／又はＳＰＥＣＴスキャンの実行を促進するガンマ本体１６の速度とは異なる速度で回転することができる。
【００１０】
動作中、ガンマ・カメラ４８及び５０は、スキャンのペンシルビームＣＴ部分中に用いて、同時ガンマ・カメラ・スキャン、ＰＥＴスキャン、及び／又はＳＰＥＣＴスキャンを実行することができる。ガンマ・カメラ４８及び５０は、ガントリ１４と共に回転し、これにより、ペンシルビームＣＴスキャンの間、スキャンのある部分ではガントリ１４がＸ線源１２及びＸ線検出器３２を平行移動させ、ＣＴスキャンの別の部分ではガントリ１４を回転させることができ、ガンマ・カメラ４８及び５０はまた、ＳＰＥＣＴ及びＰＥＴを含むがこれに限定されない核医学スキャンを実行することができる。
【００１１】
例えば、１つのガントリ角度におけるＸ線検出器３２からの投影データなどのＸ線減弱測定値の集合はビューと呼ばれる。患者２２のスキャンは、ペンシルビームＸ線源１２及びＸ線検出器３２の１回転中に異なるガントリ角度で収集されるビューのセットを含む。ガントリ１４は、異なる方向から患者２２をスキャンするように被検体の周りを回転し、患者２２の種々のビューを得る。
【００１２】
同様に、例えば１つのガントリ角度におけるガンマ・カメラ４８及び／又は５０からの放射データなどの放射ガンマ減弱測定値の集合はビューと呼ばれる。患者２２の放射スキャンは、ガンマ・カメラ４８及び／又は５０の１回転中に異なるガントリ角度で収集されるビューのセットを含む。
【００１３】
図２は、イメージングシステム１０（図１に示す）の概略図であり、ここではガントリ１４は第２のスキャン位置２００まで回転している。第２のスキャン位置２００まで回転したイメージングシステム１０は、イメージングシステム１０（図１に図示）とほぼ同様で、イメージングシステム１０（図１に図示）の構成要素と同一である第２のスキャン位置２００まで回転したイメージングシステム１０の構成要素は、図１で用いられたものと同様の参照符号を用いて図２で識別される。
【００１４】
例示的な実施形態において、ガントリは回転方向２０２において選択可能な度数で回転される。ガンマ・カメラ４８及び５０、Ｘ線源１２及びＸ線検出器３２などの、ガントリ１４上に装着された構成要素は、ガントリ１４と共に回転する。第２のスキャン位置２００において、ガンマ・カメラ４８及び５０、並びにＸ線源１２及びＸ線検出器３２は、整列されて、患者２２の第２のビューをもたらす。患者テーブル２０は、スキャン中に移動することができるので、その結果、ガンマ・カメラ４８及び５０並びにＸ線源１２及びＸ線検出器３２は、ガントリ１４が固定的に保持された状態で患者２２の別のビューを提供することができる。スキャンの第２の部分が実行される間は、ガントリ１４はほぼ固定位置で保持することができる。
【００１５】
動作中、ガンマ・カメラ４８及び５０は、スキャンのペンシルビームＣＴ部分の間に用いて、同時ガンマ・カメラ・スキャン、ＰＥＴスキャン、及び／又はＳＰＥＣＴスキャンを実行することができる。ガンマ・カメラ４８及び５０は、ガントリ１４と共に回転し、これによりペンシルビームＣＴスキャン中に、スキャンのある部分ではガントリ１４がＸ線源１２及びＸ線検出器３２を平行移動させ、ＣＴスキャンの別の部分ではガントリ１４を回転させることができ、ガンマ・カメラ４８及び５０も同様に、ＳＰＥＣＴ及びＰＥＴを含むがこれに限定されない核医学スキャンを実行することができる。
【００１６】
図３は、イメージングシステム１０（図１に図示）の別の実施形態の概略図である。例示的な実施形態において、イメージングシステム１０は、Ｘ線のペンシルビーム３０４を観察領域３０８の第１の面３０６から観察領域３０８の第２の面３１０まで掃引するように構成されたＸ線源３０２を含む。Ｘ線のペンシルビーム３０４は、検出器並進機構４４を用いて横方向に位置決めされるＸ線検出器３２に向かって配向することができる。アクチュエータ４６は、検出器並進機構４４を制御して、検出器３２をペンシルビーム３０４と協働して移動させ、これによりスキャンのＣＴ部分の間、検出器３２がペンシルビーム３０４と交差する位置で維持されるようにする。
【００１７】
図４は、イメージングシステム１０（図３に図示）に用いることができる例示的なペンシルビームＸ線源４００の斜視図である。Ｘ線管４０２は、円錐ビーム４０４の中心軸４１０にほぼ垂直な方位のスリット・コリメータ４０８によって扇形ビーム４０６にコリメートされる、ほぼ円錐状のＸ線ビーム４０４を出力する。スリット・コリメータ４０８はスリット４１２を含み、該スリット４１２は、円錐ビーム４０４のＸ線の一部がスリット４１２を透過して、回転可能なコリメート・ディスク４１４上に入射するように位置決めされる。コリメート・ディスク４１４は少なくとも１つのスリット４１６を含み、該スリット４１６は、コリメート・ディスク４１４の回転中、スリット４１６の少なくとも一部がコリメート・ディスク４１４の回転の一部の間に扇形ビーム４０６の少なくとも一部と交差するように位置決めさる。スリット４１２及び４１６のサイズは、ターゲットに配向することができるＸ線のペンシルビーム４１８の断面寸法を定める。スリット４１２及び４１６の向き及び位置は、掃引角度を定めることができ、ここで掃引角度とは、ペンシルビーム４１８の方向と中心軸４１０との間の角度差である。掃引周波数は、例えばコリメート・ディスク４１４の回転速度によって決定することができる。
【００１８】
図５は、イメージングシステム１０（図３に図示）の別の実施形態の概略図である。例示的な実施形態において、図３に示されるイメージングシステム１０の構成要素は、図５に示されるイメージングシステム１０の構成要素とほぼ同じである。図５に示される構成要素にほぼ一致する、図３に示される構成要素は、図３で用いられたのと同様の参照符号により図５で識別される。イメージングシステム１０は、線形Ｘ線検出器の反対側に位置決めされた掃引ペンシルビームＸ線源３０２を含む。線源３０２は、観察領域３０８を横断して掃引するようにコリメートされたＸ線のペンシルビーム３０４を投射する。Ｘ線ビーム３０４は、患者２２及びテーブル２０を透過して、減弱放射線ビームを発生する。減弱放射線ビームは、線形検出器アレイ５０２に上に衝突する。検出器アレイ５０２で受信される減弱放射線ビームの強度は、患者２２及び患者テーブル２０によるＸ線ビーム３０４の減弱に依存する。検出器アレイ５０２の各検出器素子５０４は、検出器アレイ５０２による減弱の測定値である個別の電気信号を生成する。全検出器素子５０４からの減弱測定値は、個別に収集されて送信プロファイルを生成する。線源３０２及び検出器アレイ５０２は、ガントリ１４（図１及び図２に図示）と共に患者２２の周りを回転し、これによりペンシルビーム３０４が患者２２と交差する角度が変化するようになる。
【００１９】
本発明の様々な実施形態の利点は、例えば、限定ではないが、ＣＴ／ＳＰＥＣＴ／ＰＥＴイメージングシステムなどのマルチモダリティ・イメージングシステム全てに対して得られることが企図される。
【００２０】
上述のマルチモダリティ・イメージングシステムは、患者を検査するための、コスト効果が高く信頼性のある手段である。より具体的には、各イメージングシステムは、限定ではないが、構成要素のコスト、画質考慮事項、及びガントリ輻輳などの構成要素位置制限などといった特定のイメージング要件を満たすように選択することができる構成要素を含む。例えば、ＣＴイメージングシステムは、ガンマ・カメラが放射スキャンを完了できる時間よりも有意に短い時間でスキャンを完了させることができる。その結果、マルチモダリティスキャン中に、ＣＴイメージングシステムは、ガンマ・カメラがスキャンの放射部分を完了させるのを待機している間、スキャンを完了させるのに要する時間のか有意な部分において非活動状態とすることができる。従って、ガンマ・カメラに低速スキャン、高画質、及び安価なペンシルビームＣＴシステムを組み合わせることにより、コスト効果の高いマルチモダリティシステムが得られる。
【００２１】
マルチモダリティ・イメージングシステムの例示的な実施形態が、詳細に上述された。図示されたマルチモダリティ・イメージングシステム構成要素は、本明細書で説明された特定の実施形態には限定されず、むしろ、各マルチモダリティ・イメージングシステムの構成要素は、本明細書で説明された別の構成要素から独立して且つ別個に用いることができる。例えば、上述のマルチモダリティ・イメージングシステム構成要素はまた、他のイメージングシステムと組み合わせて用いてもよい。
【００２２】
本発明を様々な特定の実施形態について説明してきたが、本発明は請求項の精神及び範囲内の修正を実施することができることは、当業者であれば認識するであろう。
【図面の簡単な説明】
【００２３】
【図１】本発明の例示的な実施形態によるイメージングシステムの概略図。
【図２】ガントリが第２のスキャン位置まで回転した図１に示されるイメージングシステムの概略図。
【図３】図１に示されるイメージングシステムの別の実施形態の概略図。
【図４】図３に示されるイメージングシステムに用いることができる例示的なペンシルビームＸ線源の斜視図。
【図５】図３に示されるイメージングシステムの別の実施形態の概略図。
【符号の説明】
【００２４】
１０  イメージングシステム
１２  Ｘ線源
１４  ガントリ
２０  患者テーブル
２２  患者
３０  Ｘ線ペンシルビーム
４８  ガンマ・カメラ
５０  第２のガンマ・カメラ
【図１】
2005279273.tif 000003
【図２】
2005279273.tif 000004
【図３】
2005279273.tif 000005
【図４】
2005279273.tif 000006
【図５】
2005279273.tif 000007